(57)【要約】【課題】  全閉状態で３枚の引戸が一列に並んで連続した壁のような外観を示することができ、引戸と戸枠との間に工具が挿入可能な大きな隙間をとる必要がなくてホコリ等が侵入し難いと共に作業がし易い引戸装置を提供する。【解決手段】  ３枚の引戸が一列に並ぶように閉じたり３枚の引戸が前後に重なるように開くことができる引戸装置であって、引戸１の上部に上ランナー２（２１〜２３）を設けると共に戸枠４に上レール５を設け、前記上ランナー２を引戸１の上端部に連結するランナー連結部材２８を略Ｌ字形に屈曲形成し、該ランナー連結部材２８に連結される上ランナー２が引戸１の後面よりも後方にはみ出して位置するようにランナー連結部材２８を引戸１の上端部に設け、引戸１内を上下動する上下動部材３１からなる上下調整手段を設け、上下動部材３１にランナー連結部材２８を固定した。【選択図】        図１
2006112162.tif 000002
【特許請求の範囲】
【請求項１】
３枚の引戸を備えた引戸装置であって、閉じた状態で中央引戸と、中央引戸の一方の側方に配置される一方引戸と、中央引戸の他方の側方に配置される他方引戸とからなり、且つ、上記３枚の引戸は閉じた状態で一列に面一となるように配置され、一方引戸を他方引戸側に向かって移動して一方引戸を他方引戸の前に重なるように誘導し、且つ中央引戸を他方引戸側に向かって移動して他方引戸の後に重なるように誘導する誘導機構を備え、当該誘導機構が引戸の上部に取付けられる上ランナーと当該上ランナーを走行自在にガイドする上レールとで構成され、前記上ランナーを引戸の上端部に連結するためのランナー連結部材を略Ｌ字形に屈曲形成すると共に、該ランナー連結部材に連結される上ランナーが引戸の後面よりも後方にはみ出して位置するようにランナー連結部材を引戸の上端部に設け、引戸内に上下調整手段により上下動する上下動部材を設け、この上下動部材に前記ランナー連結部材を固定して成ることを特徴とする引戸装置。
【請求項２】
引戸の上端部の後面に凹所を開口形成し、前記凹所内に雄ねじ部を有する上下調整ボルトをその軸が上下方向を向いて軸廻りに回転自在となるように設け、前記上下調整ボルトの雄ねじ部の下側に該上下調整ボルトを回転させるための摘まみ部を設け、前記上下調整ボルトの雄ねじ部に上下動部材を螺合するとともに、上下動部材が上下調整ボルトと共回りするのを規制する規制部を設けて成ることを特徴とする請求項１記載の引戸装置。
【発明の詳細な説明】
【技術分野】
【０００１】
本発明は、引戸装置に関し、詳しくは閉じた状態で各引戸が段差無く一列に面一となる引戸装置に関するものである。
【背景技術】
【０００２】
従来から、３枚引戸の場合、各引戸が各々平行に直進移動して閉状態と右開き状態又は左開き状態となる引き違い式の引戸装置が知られている（例えば、特許文献１参照）。
【０００３】
ところが、上記特許文献１に見られる従来例では、閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００４】
そこで、本出願人は全閉状態で３枚の引戸が一列に段差無く面一に連続して並んで連続した壁のような外観を示することができる引戸装置を考えた。これは、３枚の引戸を備えた引戸装置で、閉じた状態で中央引戸と、中央引戸の一方の側方に配置される一方引戸と、中央引戸の他方の側方に配置される他方引戸とが一列に面一となるように配置され、開く際に一方引戸を他方引戸側に向かって移動して一方引戸を他方引戸の前に重なるように誘導し、且つ中央引戸を他方引戸側に向かって移動して他方引戸の後に重なるように誘導する誘導機構を備えたものである。誘導機構は、引戸の上部に取り付けられる上ランナーと、戸枠に設けた上レールとで構成してあり、前記引戸の上ランナーが戸枠の上レールを走行することで３枚の引戸が一列に並ぶように閉じたり３枚の引戸が前後に重なるように開いたりすることができるようになっている。
【０００５】
このような引戸装置にあっては、上レールの位置よりも引戸を前方に配置することでクローゼット内を広く使用可能とするため、引戸の後面の上端部の左右方向の両端部に逆Ｌ字状をしたランナー連結部材の側縦片を取り付け、このランナー連結部材の上横片に上ランナーを設けてあった。上ランナーは、上ローラーを備えたローラーブロックと、ローラーブロックを上横片に取り付けるためのランナー縦軸とで構成される。図１３中の符号２８がランナー連結部材であり、１が引戸であり、２０がランナー縦軸であり、２１が上ランナーである。
【０００６】
この引戸装置を建物に設ける際、建物躯体のタチの狂い（傾き、たわみ等）に対応するため、引戸の傾き調整として高さ調整（即ち引戸の戸枠に対する上下方向の調整）が必要となってくる。引戸の高さ調整を行う場合、上ランナーは戸枠に設けた上レールを走行して高さが一定となるため、上ランナーの引戸に対する相対的な高さを調整することで引戸の高さを調整することになる。そこで従来では、引戸の上端部に固定したランナー連結部材に対して上ランナーのランナー縦軸を上下させることで引戸の高さ調整を行っていた。
【０００７】
しかしながら、このような従来の引戸装置においては、ランナー縦軸をボルトで形成してこれにナットを締結してランナー連結部材にランナー縦軸を固定したりして形成していたため、前記ボルト・ナットを回転させるため引戸と戸枠との間に工具が挿入可能な大きな隙間をとる必要があったが、この隙間を大きくとるとホコリ等が侵入し易いため好ましくなく、また作業もし難いものであった。
【特許文献１】実開昭５１−１０３５２４号公報
【発明の開示】
【発明が解決しようとする課題】
【０００８】
本発明は上記の従来の問題点に鑑みて発明したものであって、全閉状態で３枚の引戸が一列に段差無く面一に連続して並んで連続した壁のような外観を示することができ、引戸と戸枠との間に工具が挿入可能な大きな隙間をとる必要がなくてホコリ等が侵入し難いと共に引戸の高さ調整作業がし易い引戸装置を提供することを課題とするものである。
【課題を解決するための手段】
【０００９】
前記課題を解決するために本発明にあっては、３枚の引戸１を備えた引戸装置であって、閉じた状態で中央引戸１ｃと、中央引戸１ｃの一方の側方に配置される一方引戸１ａと、中央引戸１ｃの他方の側方に配置される他方引戸１ｂとからなり、且つ、上記３枚の引戸１は閉じた状態で一列に面一となるように配置され、一方引戸１ａを他方引戸１ｂ側に向かって移動して一方引戸１ａを他方引戸１ｂの前に重なるように誘導し、且つ中央引戸１ｃを他方引戸１ｂ側に向かって移動して他方引戸１ｂの後に重なるように誘導する誘導機構１９を備え、当該誘導機構１９が引戸１の上部に取付けられる上ランナー２（２１〜２３）と当該上ランナー２を走行自在にガイドする上レール５とで構成され、前記上ランナー２を引戸１の上端部に連結するためのランナー連結部材２８を略Ｌ字形に屈曲形成すると共に、該ランナー連結部材２８に連結される上ランナー２が引戸１の後面よりも後方にはみ出して位置するようにランナー連結部材２８を引戸１の上端部に設け、引戸１内に上下調整手段３により上下動する上下動部材３１を設け、この上下動部材３１に前記ランナー連結部材２８を固定して成ることを特徴とするものである。
【００１０】
また、引戸１の上端部の後面に凹所１０を開口形成し、前記凹所１０内に雄ねじ部３２ａを有する上下調整ボルト３２をその軸が上下方向を向いて軸廻りに回転自在となるように設け、前記上下調整ボルト３２の雄ねじ部３２ａの下側に該上下調整ボルト３２を回転させるための摘まみ部３３を設け、前記上下調整ボルト３２の雄ねじ部３２ａに上下動部材３１を螺合するとともに、上下動部材３１が上下調整ボルト３２ａと共回りするのを規制する規制部を設けてもよい。
【００１１】
本発明においては、上記のように、３枚の引戸１が閉じた状態で一列に面一となるように配置されるように構成してあることで、３枚の引戸１を閉じた状態で隣接する引戸１間に段差が生じることがなくて、一連の連続した壁面としての外観を呈することができる。
そして、３枚の引戸が閉じた状態で一列に配置可能にすべく上ランナー２を逆Ｌ字状をしたランナー連結部材２８を介して取り付けてあり、ランナー連結部材２８は引戸１内を上下動自在な上下動部材３１に固定してあるため、引戸１と戸枠４の間の隙間に工具を挿入したりしなくても引戸１内の上下動部材３１を上下動させて上ランナー２１〜２３の高さ調整をすることが可能となって、引戸と戸枠との間の隙間を小さく抑えると共に高さ調整の作業が容易となるものである。
【発明の効果】
【００１２】
本発明にあっては、上記のように全閉状態で３枚の引戸が一列に段差無く面一に連続して並んで連続した壁のように外観上の一体感を持たせることができて外観が良くなるものであり、また、引戸内の上下動部材を上下動させることで引戸の高さ調整が可能となって、引戸と戸枠との間に工具が挿入可能な大きな隙間をとる必要がないためこの隙間にホコリ等が侵入することがなく、また狭い隙間に工具を挿入する必要がなく高さ調整の作業が容易となるものである。
【発明を実施するための最良の形態】
【００１３】
以下、本発明を添付図面に示す実施形態に基いて説明する。
【００１４】
本発明の引戸装置は、図４、図５に示すように３枚の引戸１（１ａ〜１ｃ）を有し、閉じた状態で中央引戸１ｃと、中央引戸１ｃの一方の側方に配置される一方引戸１ａと、中央引戸１ｃの他方の側方に配置される他方引戸１ｂとで構成され、閉じた状態で上記３枚の引戸１が一列に並ぶだけでなく３枚全体が段差なく面一となるように配置されるようになっている。これにより例えばクローゼットの扉として用いた場合、３枚の引戸１が段差無く面一に連続した一連の壁としての外観を呈することができるようになっており、見栄えが良好となる。
【００１５】
上記３枚の引戸１は、図４に示すように、一方引戸１ａ側から他方引戸１ｂ側に移動して開く際には該一方引戸１ａが他方引戸１ｂの前方Ａに誘導し且つ中央引戸１ｃを他方引戸１ｂの後方Ｂに誘導するための誘導機構１９と、一方引戸１ａ側の操作力を中央引戸１ｃに伝達して中央引戸１ｃを一方引戸１ａに追従して開閉させるための連動機構１５とを備えている。
【００１６】
引戸１の上部には上ランナー２（２１〜２３）を各々取り付け、引戸１の下部に下ローラー２７を各々取り付け、上記上ランナー２１〜２３、下ローラー２７を走行自在にガイドする上下レール５、６を戸枠４に設けてあり、上ランナー２と上レール５とで誘導機構１９が構成してある。
【００１７】
戸枠４は３枚の引戸１を開閉自在に取付けるための開口部に取付けられる矩形状の枠体であり、上記上下レール５、６と左右縦枠４ａとで構成してある。
【００１８】
上ランナー２１〜２３はそれぞれ引戸１の後面の上端部の左右方向の両端部に逆Ｌ字状をした上ランナー連結部材２８を介して取付けてあり、上ランナー２１〜２３は引戸１の上端部の後方に位置しており、ランナー２１〜２３を後述の上レール５に走行自在に取付けた場合、ランナー２１〜２３による上レール５の走行支持部分よりも前方にずれて引戸１が吊り下げされることになる。これにより、上レールの位置よりも引戸を前方に配置することでクローゼット内を広く使用することが可能となる。
【００１９】
上レール５は、図６、図７に示すように、躯体に固定される上レール本体５０と、上レールカバー５１（実施形態では上レールカバー５１は長手方向において複数に分割してある）とに分割されていると共に、上レール本体５０と上レールカバー５１とが互いにネジ固定されるようになっている。
【００２０】
上レール本体５０に上レールカバー５１を取付けて構成した上レール５には、図６、図７に示すように、上レール５の長手方向Ｍと直交する前後方向Ａ，Ｂに並んで、溝状の共用レール部７と溝状の中央引戸用レール部８とが並設されている。共用レール部７は、一方及び他方引戸１ａ、１ｂ（すなわち左右両側の引戸１ａ、１ｂ）の各上端部の両端２箇所に設けた左右２個の上ランナー２１、２２をそれぞれ走行自在にガイドするものであり、中央引戸用レール部８は中央引戸１ｃの上端部に設けた左右２個の上ランナー２３を走行自在にガイドするものである。
【００２１】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。これら２本のレール部（共用レール部７、中央引戸用レール部８）で３枚引戸１をガイドすることで、上レール５全体の見込み寸法Ｆ（図７）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００２２】
また、上記中央引戸用レール部８は、前側直進レール部９と平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。なお図４、図６、図７中の１０ａ、１０ｂは、後側直進レール部１０の長手方向の中間部と左右の湾曲レール部１３との連通部分から分岐し後側直進レール部１０の中間部分から後側直進レール部１の左右両側部側に向けてそれぞれ連出した直進部であって、直進部１０ａには中央引戸１ｃを左端に寄せたときに中央引戸１ｃの右側の上ランナー２３が入り込む部分であり、１０ｂは、中央引戸１ｃを右端に寄せたときに中央引戸１ｃの左側の上ランナー２３が入り込む部分である。
【００２３】
上記共用レール部７に設けた左右２個の外側曲進レール部１１の後端部と、左右２個の内側曲進レール部１２の後端部と、中央引戸用レール部８における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は左側の引戸１（つまり他方引戸１ｂ）の左右の上ランナー２２間の距離に等しく、また、右側の外側曲進レール部１１の後端部と右側の内側曲進レール部１２の後端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００２４】
ここで、閉状態では、図４（ａ）に示す他方引戸１ｂの各上ランナー２２が左側に位置する外側曲進レール部１１と内側曲進レール部１２の各後端部にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部にそれぞれ入り込むことで、各引戸１が上レール５の長手方向Ｍと平行な同一平面となるように（つまり、３枚の引戸１が面一に連続するように）並置される。
【００２５】
一方、図９の右開き状態では、図４（ｅ）のように他方引戸１ｂの各上ランナー２２が左側に位置する外側曲進レール部１１と内側曲進レール部１２の各後端部にそれぞれ入り込み、中央引戸１ｃの左側の上ランナー２３が後側直進レール部１０の左側の端部に移動すると共に右側の上ランナー２３が直進部１０ａにそれぞれ移動し、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００２６】
また、図１０の左開き状態では、一方引戸１ａの各上ランナー２１が右側に位置する外側曲進レール部１１及び内側曲進レール部１２の各後端部にそれぞれ入り込み、中央引戸１ｃの右側の上ランナー２３が後側直進レール部１０の右側の端部に移動すると共に左側の上ランナー２３が直進部分１０ａにそれぞれ移動し、且つ他方引戸１ｂの各上ランナー２２が前側直進レール部９の左側にそれぞれ移動することで、手前から順に他方引戸１ｂと一方引戸１ａと中央引戸１ｃとが重ねて並置される。
【００２７】
これら右開き状態と左開き状態とは任意に選択できるようになっている。つまり、誘導機構１９は、一方引戸１ａと中央引戸１ｃと他方引戸１ｂとを前後に重ねた状態で、中央引戸１ｃを他方引戸１ｂと重ならない位置に移動して他方引戸１ｂと面一となるように誘導し、且つ一方引戸１ａを他方引戸１ｂ及び中央引戸１ｃとは重ならない位置に移動して中央引戸１ｃと面一となるように誘導する機能も兼ねている。
【００２８】
なお、各引戸１の相互の突き合わせ部には、互いに対向する一対の隙間隠し用Ｌ形部材を取り付けてもよいが、例えば図４のように、各引戸１の突き合わせ面に斜め形状のカット部１７を設けて各引戸１間の隙間をなくすようにすることも可能である。
【００２９】
一方、各引戸１の上面の左右両側にはそれぞれ上ランナー２１（又は上ランナー２２、又は上ランナー２３）が設けてある。この上ランナー２１〜２３は、図１１に示すように、一対の上ローラー２６を備えたローラーブロック２４と、ローラーブロック２４の上面から上方に突出する２個の補助ローラー２５ａ（又は補助ローラ２５ｂ）とで構成されている。この補助ローラー２５ａ（又は補助ローラ２５ｂ）は図７に示す分岐部材１８により曲進又は直進のいずれかに案内されるようになっている。
【００３０】
ここで、図７（ｂ）に示すように、一方引戸１ａ及び他方引戸１ｂの各右側端部に設けられた上ランナー２１（又は上ランナー２２）の上面の後方側にずれた位置に高さの低い２個の補助ローラ２５ａが上方に向けて突設してあり、また、一方引戸１ａ及び他方引戸１ｂの各左側端部に設けられた上ランナー２１（又は上ランナー２２）の上面の前方側にずれた位置に高さの高い２個の補助ローラ２５ｂが上方に向けて突設してあり、また、中央引戸１ｃの右側端部に設けられた上ランナー２３の上面の後方側にずれた位置に高さの高い２個の補助ローラ２５ｂにより構成される２連補助ローラ２５ｂが上方に向けて突設してあり、また、中央引戸１ｃの左側端部に設けられた上ランナー２３の上面の前方側にずれた位置に高さの低い２個の補助ローラ２５ａにより構成される２連補助ローラ２５ａが上方に向けて突設してある。
【００３１】
分岐部材１８は、上レール５の下面に設けられるもので、図７（ａ）に示す外側曲進レール部１１、内側曲進レール部１２、湾曲レール部１３の各分岐点に設けられた下方に開口した断面逆Ｕ字状をした補助レール１８ａ〜１８ｆで構成されている。補助レール１８ａは左側の外側曲進レール部１１の前側にずれた位置においてに外側曲進レール部１１沿って形成してあり、また、補助レール１８ｂは左側の内側曲進レール部１２の後側にずれた位置においてに内側曲進レール部１２沿って形成してあり、また、補助レール１８ｃは右側の外側曲進レール部１１の後側にずれた位置においてに外側曲進レール部１１沿って形成してあり、補助レール１８ｄは右側の内側曲進レール部１２の前側にずれた位置においてに内側曲進レール部１２沿って形成してあり、また、補助レール１８ｅは左側の湾曲レール部１３の前側にずれた位置においてに湾曲レール部１３沿って形成してあり、補助レール１８ｆは右側の湾曲レール部１３の後側にずれた位置においてに湾曲レール部１３沿って形成してある。
【００３２】
上記補助レール１８ａ，１８ｄ，１８ｆは上レール５の下面から下方に短く垂下し、また、補助レール１８ｂ，１８ｃ，１８ｅは上レール５の下面から下方に長く垂下している。
【００３３】
そして、図１１に示す背の低い２連補助ローラー２５ｂを有するローラーブロック２４は、垂下長の短い補助レール１８ａ，１８ｄ，１８ｆ（図１４）と干渉することなく、垂下長の長い補助レール１８ｂ，１８ｃ，１８ｅ（図１４）に沿って曲進できるようになり、一方、背の高い２連補助ローラー２５ａ（図１５）を有するローラーブロック２４は、垂下長の短い補助レール１８ａ，１８ｄ，１８ｆに沿って曲進できるようになっている。従って、背の低い２連補助ローラー２５ｂを有するローラーブロック２４を前側直進レール部９の後方Ｂに沿って移動させることで、垂下長の短い補助レール１８ａ，１８ｄと干渉させることなく、垂下長の長い補助レール１８ｂ，１８ｃに誘導されるようになり、一方、背の高い２連補助ローラー２５ａを有するローラーブロック２４を前側直進レール部９の前方Ａを移動させることで、垂下長の短い補助レール１８ａ，１８ｄによって誘導されるようになっている。
【００３４】
次に連動機構１５を説明する。図１１に示すように、一方引戸１ａ及び他方引戸１ｂの把手側の上端部には、それぞれ、一方引戸１ａの上端部から中央引戸１ｃの移動経路Ｃに向って突出する傾斜連動金具１５ａが取り付けられている。中央引戸１ｃの両サイドの上端部には、傾斜連動金具１５ａに係脱可能な受け部材１５ｅが各々取り付けられている。これら傾斜連動金具１５ａと受け部材１５ｅとによって、一方引戸１ａ側の操作力を中央引戸１ｃに伝達して中央引戸１ｃを一方引戸１ａに連動して開閉させるための連動機構１５が構成されている。
【００３５】
ここで、上記傾斜連動金具１５ａは、基端から先端にいく程上記一方引戸１ａの開き方向Ｄとは反対方向に位置するように傾斜した押し側の傾斜ガイド面１５ｂと、押し側の傾斜ガイド面１５ｂの先端から一方引戸１ａの開き方向Ｄに向かって屈曲する係止面１５ｃと、係止面１５ｃの先端から押し側の傾斜ガイド面１５ｂと略平行に対向するように突出した引き側の傾斜ガイド面１５ｄとが一体形成されている。ここで、一方引戸１ａ側の操作力を中央引戸１ｃに効率良く伝達するためには、押し側の傾斜ガイド面１５ｂ及び引き側の傾斜ガイド面１５ｄを中央引戸１ｃの移動経路Ｃに対して直角に傾斜させるのが最も好ましい。そして、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが押し側の傾斜ガイド面１５ｂに片当たりし、さらに一方引戸１ａと中央引戸１ｃとが他方引戸１ｂを挟んで前後に離反する連動開始段階で、受け部材１５ｅが押し側の傾斜ガイド面１５ｂに押されてその押し操作力が中央引戸１ｃの移動経路Ｃと略平行な方向に向かって作用するようになり、逆に閉じる際には受け部材１５ｅが係止面１５ｃに係止した状態で中央引戸１ｃが閉じ位置に近づき、さらに連動終了直前段階に受け部材１５ｅが引き側の傾斜ガイド面１５ｄに引かれてその引き操作力Ｐ２が中央引戸１ｃの移動経路Ｃと略平行な方向に向かって作用するものである。
【００３６】
本例では上記受け部材１５ｅは、ローラーで構成されている。
【００３７】
次に動作を説明する。例えば、図４、図９に示すように、右側の一方引戸１ａを開く方向Ｄに移動して開く場合、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが傾斜連動金具１５ａの押し側の傾斜ガイド面１５ｂに片当たりし、さらに一方引戸１ａと中央引戸１ｃとが他方引戸１ｂを挟んで前後に離反する連動開始段階において図１２（ａ）に示すように、受け部材１５ｅが押し側の傾斜ガイド面１５ｂの基端側により押されてその押し操作力Ｐ１が中央引戸１ｃの移動経路Ｃと略平行な方向に向かって作用する。つまり、押し側の傾斜ガイド面１５ｂの基端から先端までのどの位置でも受け部材１５ｅに対しては、中央引戸１ｃの移動経路Ｃ（湾曲レール部１３のレール方向）と平行な操作力Ｐ１が作用するため、力のロスがなく、中央引戸１ｃがスムーズに斜め後方に向かって開かれるようになる。そして、図４（ｂ）→（ｃ）→（ｄ）のように、中央引戸１ｃと一方引戸１ａは前後に離反した段階で、受け部材１５ｅは傾斜連動金具１５ａの係止面１５ｃに係止した状態となり、この係止状態は一方引戸１ａ及び中央引戸１ｃが全開位置に至るまで持続される。
【００３８】
逆に、一方引戸１ａを閉じる方向Ｅに移動して閉じる際には、受け部材１５ｅは係止面１５ｃに係止した状態で一方引戸１ａと中央引戸１ｃとが連動して閉じられ、その後、連動終了直前段階において、図１２（ｂ）に示すように、受け部材１５ｅが引き側の傾斜ガイド面１５ｄに引かれ、その引き操作力Ｐ２が中央引戸１ｃの移動経路Ｃと略平行な方向に向かって作用する。これにより、図１２（ａ）の開く場合と同様に、力のロスがなく、中央引戸１ｃがスムーズに斜め前方に向かって移動することができる。なお中央引戸１ｃが閉位置に達すると、図４（ｄ）→（ｃ）→（ｂ）のように、受け部材１５ｅが引き側の傾斜ガイド面１５ｄから外れて連動が解除され、一方引戸１ａは単独で閉位置まで移動可能となる。
【００３９】
上記構成によれば、一方引戸１ａと中央引戸１ｃとを連動機構１５によって連動させることができるので、中央引戸１ｃを手で開閉する必要がなくなり、開閉操作がきわめて容易となると共に、連動機構１５は押し側の傾斜ガイド面１５ｂと係止面１５ｃと引き側の傾斜ガイド面１５ｄとを一体形成した簡単な構造であるため、コスト低減を図ることができる。
【００４０】
さらに、連動機構１５の押し側の傾斜ガイド面１５ｂ及び引き側の傾斜ガイド面１５ｄは、それぞれ、先端になる程上記一方引戸１ａの開き方向Ｄ（図１２）とは反対方向に傾斜しているため、一方引戸１ａと中央引戸１ｃとの連動開始段階では、中央引戸１ｃの受け部材１５ｅに対して一方引戸１ａの押し側の傾斜ガイド面１５ｂから加わる押し操作力Ｐ１の方向は中央引戸１ｃの移動経路Ｃと略平行となるため、一方引戸１ａの押し操作力Ｐ１を効率よく中央引戸１ｃに伝達することができる。また一方引戸１ａと中央引戸１ｃの連動終了直前段階では、中央引戸１ｃの受け部材１５ｅに対して一方引戸１ａの引き側の傾斜ガイド面１５ｄから加わる引き操作力Ｐ２の方向が中央引戸１ｃの移動経路Ｃと略平行となるため、一方引戸１ａの引き操作力Ｐ２を効率よく中央引戸１ｃに伝達することができ、結果、開閉いずれの場合も、中央引戸１ｃの滑らかな連動開閉が可能になる。つまり、操作力Ｐ１（Ｐ２）のほぼすべてが中央引戸１ｃの移動に寄与して、力のロスをなくすことができるので、小さな操作力で済む。この結果、開閉操作性が大幅に向上するものである。
【００４１】
しかも、受け部材１５ｅはローラーで構成されているため、連動開始段階及び連動終了直前段階において、それぞれ、傾斜連動金具１５ａと受け部材１５ｅとの摩擦が極力小さくなり、その際の開閉操作力をより一層低減することができる。
【００４２】
また本例では、図４に示すように、中央引戸１ｃの両端側にそれぞれ受け部材１５ｅを取り付け、一方引戸１ａの右端（把手側）、及び、他方引戸１ｂの左端（把手側）に、それぞれ、傾斜連動金具１５ａを取り付けた構成となっているため、左開きと左開きのいずれの場合も、連動機構１５が働く構造となる。つまり、３枚の引戸１が一列に段差なく面一に配置された全閉状態で、他方引戸１ａを一方引戸１ａ側に向けて移動する（実施形態では左側の引戸１である他方引戸１ｂを右側に移動する）ことで、連動機構１５により中央引戸１ｃを他方引戸１ｂに連動して移動すると共に、誘導機構１９により他方引戸１ｂを一方引戸１ａの前方側に重ねるように誘導し且つ中央引戸１ｃを一方引戸１ａの後方側に重ねるように誘導し、前から順に他方引戸１ｂ、一方引戸１ａ、中央引戸１ｃの順に重ねるように開くことができるものである。
【００４３】
なお、各引戸１の下端部の中央の１箇所には下ローラー２７が突設されている。下ローラー２７はＬ形金具（図示せず）を介して引戸１ａ〜１ｃの各下端部の中央位置に取り付けられている。下ローラー２７をガイドする下レール６には、図８に示すように、共用レール部１０１の長手方向Ｍの両端側から後方Ｂに向って傾斜した左右の曲進レール部４２，４３がそれぞれ設けられ、共用レール部１０１と平行で後ろ側に位置する中央引戸用レール部１０２の中央部から前方Ａに向って半円形状に湾曲した１つの湾曲レール部４４が設けられている。なお図８中の４５は分岐用補助レールである。
【００４４】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００４５】
そして、各引戸１の上端部は左右２個の上ランナー２１（２２，２３）で吊り下げ支持され、３枚の引戸１が面一となって閉じた状態で、一方引戸１ａの下ローラー２７が右側の曲進レール部４３の後端部に位置し、中央の引戸１ｃの下ローラー２７が湾曲レール部４４の前端部に位置し、他方引戸１ｂの下ローラー２７が左側の曲進レール部４２の後端部に位置する。また、図９（ｃ）の右開きの場合、他方引戸１ｂの下ローラー２７が左側の曲進レール部４２の後端部に位置し、一方引戸１ａの下ローラー２７が共用レール部１０１の直線部分の右端に位置し、中央の引戸１ｃの下ローラー２７が中央引戸用レール部１０２の直線部分の左端に位置する。また、図１０（ｃ）の左開きの場合、一方引戸１ａの下ローラー２７が右側の曲進レール部４３の後端部に位置し、他方引戸１ｂの下ローラー２７が共用レール部１０１の直線部分の右端に位置し、中央の引戸１ｃの下ローラー２７が中央引戸用レール部１０２の直線部分の右端に位置する。
【００４６】
このように下端部は１個の下ローラー２７で下レール６にガイドされる結果、各引戸１の走行の安定化を十分に図ることができると共に、１個の下ローラー２７を用いることで、下レール６の溝形状を上レール５の溝形状よりも簡易にでき、下レール６のコスト低減を図ることができる利点もある。
【００４７】
そして本発明においては、図１、図２に示すような引戸１の高さ調整（即ち引戸１の戸枠４に対する上下方向の調整）を行うための上下調整手段３を設けるものである。上下調整手段３は、引戸１内を上下動自在な上下動部材３１を有しており、この上下動部材３１にランナー連結部材２８が固定される。ランナー連結部材２８は、側縦片２８ａと上横片２８ｂとからなる逆Ｌ字状をしたもので、上横片２８ｂに上ランナー２（２１〜２３）のランナー縦軸３０が取り付けられると共に、側縦片２８ａが上下動部材３１に固定される。本実施形態では引戸１の上端部の後面に後面視円形状をした凹所１０を開口形成し、この凹所１０に上下調整手段３のホルダー３０の円筒部３０ａを嵌入するとともに、該円筒部３０ａの外端部から連設される板部３０ｂを引戸１の後面に沿ってビス等の固着具３０ｃによって固定してあり、このホルダー３０の円筒部３０ａの内部が凹所１０となる。そして、ホルダー３０の上下には孔３０ｄ、３０ｅが穿孔してあり、この孔３０ｄ、３０ｅにそれぞれ上下調整ボルト３２の上下端部が挿入されて、上下調整ボルト３２はその軸が上下方向を向いて軸廻りに回転自在となるように凹所１０内に設けられる。そして、上下調整ボルト３２の雄ねじ部３２ａに上下動部材３１の雌ねじ部３１ａを螺合し、上下調整ボルト３２の雄ねじ部３２ａの下側に上下調整ボルト３２を回転させるための摘まみ部３３を形成して上下調整手段３が構成される。
【００４８】
この上下調整手段３による引戸１の高さ調整について説明する。引戸１の高さを上昇させる場合には、引戸１の後面側より凹所１０内に指を挿入して摘まみ部３３を回し、これによって上下調整ボルト３２を回してこの雄ねじ部３２ａに螺合している上下動部材３１を相対的に下降させる。上下動部材３１は、規制部によって上下調整ボルト３２と共回りしないようにしてある。本実施形態では、上下動部材３１が上下調整ボルト３２廻りに回転しようとする場合、凹所１０内、即ちホルダー３０の円筒部３０ａの内面に当接してこれが規制部として機能し、これによって廻り止めがなされている。これにより、上下動部材３１に対して上下調整ボルト３２及び引戸１が相対的に上昇するが、ランナー連結部材２８が固定される上下動部材３１は戸枠４に対しては上下動していないため、結局戸枠４に対して引戸１が上昇することとなる。下降させる場合は、摘まみ部３３の回転方向を上記上昇させる場合と逆に回して上下動部材３１を引戸１に対して相対的に上昇させることで、引戸１が戸枠４に対して下降することとなる。
【００４９】
以上のような構成によれば、３枚の引戸１が閉じた状態で一列に面一となるように配置されるようにしたことで、３枚の引戸１を閉じた状態で隣接する引戸１間に段差が生じることがなくて、一連の連続した壁面としての外観を呈することができるものであり、この時、３枚の引戸が閉じた状態で一列に配置可能にすべく上ランナー２１〜２３を逆Ｌ字状をしたランナー連結部材２８を介して取り付け、このランナー連結部材２８は引戸１内を上下動自在な上下動部材３１に固定したことで、引戸１と戸枠４の間の狭い隙間に工具を挿入したりしなくても引戸１内の上下動部材３１を上下動させて上ランナー２１〜２３の高さ調整をすることが可能となって、引戸１と戸枠４との間に工具が挿入可能な大きな隙間をとる必要がないためこの隙間にホコリ等が侵入することがなく、また狭い隙間に工具を挿入する必要がなく高さ調整の作業が容易となるものである。また、これにあたり、引戸１と上ランナー２とを逆Ｌ字状をしたランナー連結部材２８で連結しているため、上レール５の位置よりも引戸１を前方に配置することでクローゼット内を広く使用可能となる。
【００５０】
上下調整手段３の他例を図３に示す。これは、図１、図２に示す上例のように上下調整ボルト３２に摘まみ部３３を設ける代わりに、スパナ等の工具が被嵌されて回転するための角形状（例えば六角形状又は四角形状）をしたねじ頭部３４を形成するものであり、この場合には、凹所１０内にスパナ等の工具を挿入してねじ頭部３４を回転させることで引戸１を上下させることができる。
【００５１】
本発明に係る引戸装置は、クローゼットの扉以外に各種の開閉扉の分野にも広く適用できるものである。
【図面の簡単な説明】
【００５２】
【図１】（ａ）は本発明の引戸装置の要部拡大斜視図であり、（ｂ）は上下調整手段の斜視図であり、（ｃ）は（ｂ）の正面図である。
【図２】上下調整手段の分解斜視図である。
【図３】上下調整手段の他例を示し、（ａ）は正面図であり、（ｂ）は側面図である。
【図４】引戸装置の開閉動作を示し、（ａ）は３枚の引戸を面一に閉じた状態を示す概略平面図であり、（ｂ）（ｃ）（ｄ）は開閉途中の状態を示す概略平面図であり、（ｅ）は３枚の引戸を前後に重ねた全開状態を示す概略平面図である。
【図５】同上の面一に閉じた状態を示す背面図である。
【図６】同上の上レールを示し、（ａ）は上下反転した状態の斜視図であり、（ｂ）は同上の上下反転した状態の分解斜視図である。
【図７】（ａ）は同上の上レールにおける補助レールの配置を示す平面図であり、（ｂ）は３枚の引戸に設けたランナー、補助ローラの位置関係を示す説明図である。
【図８】同上の下レールを示す平面図である。
【図９】（ａ）（ｂ）（ｃ）は同上の右開きの操作順序を示す説明図である。
【図１０】（ａ）（ｂ）（ｃ）は同上の左開きの操作順序を示す説明図である。
【図１１】同上の連動機構を示す斜視図である。
【図１２】（ａ）は同上の連動機構の開操作時における動作を示す動作説明図であり、（ｂ）は閉操作時における動作を示す動作説明図である。
【図１３】同上の３枚の引戸が前後に重なっている状態を示す断面図である。
【図１４】同上の背の低い２連補助ローラーが垂下長の長い補助レールにガイドされている状態を示す断面図である。
【図１５】同上の背の高い２連補助ローラーが垂下長の短い補助レールにガイドされている状態を示す断面図である。
【符号の説明】
【００５３】
１  引戸
１ａ  一方引戸
１ｂ  他方引戸
１ｃ  中央引戸
２１  上ランナー
２２  上ランナー
２３  上ランナー
２８  ランナー連結部材
３  上下調整手段
３１  上下動部材
５  上レール
９  誘導機構
【図１】
2006112162.tif 000003
【図２】
2006112162.tif 000004
【図３】
2006112162.tif 000005
【図４】
2006112162.tif 000006
【図５】
2006112162.tif 000007
【図６】
2006112162.tif 000008
【図７】
2006112162.tif 000009
【図８】
2006112162.tif 000010
【図９】
2006112162.tif 000011
【図１０】
2006112162.tif 000012
【図１１】
2006112162.tif 000013
【図１２】
2006112162.tif 000014
【図１３】
2006112162.tif 000015
【図１４】
2006112162.tif 000016
【図１５】
2006112162.tif 000017